(57)【要約】【課題】取り扱いが容易で、かつ充分な明るさおよび長寿命が得られ、昇降路内の点検作業を能率よく進めることができるエレベータの点検用照明装置を提供する。【解決手段】冷陰極蛍光ランプ３８と、この冷陰極蛍光ランプ３８を点灯させる安定器４０と、この安定器４０に入力する電圧を所定の電圧に変換する変電圧器４１とをそれぞれユニットケース３３に設けてなる一体的な照明ユニット３０を備え、この照明ユニット３０をエレベータのかご室３の上部の点検作業部７に常設する。【選択図】    図１
2004182467.tif 000002
【特許請求の範囲】
【請求項１】
冷陰極蛍光ランプと、この冷陰極蛍光ランプを点灯させる安定器と、この安定器に入力する電圧を所定の電圧に変換する変電圧器とをそれぞれユニットケースに設けてなる一体的な照明ユニットを備え、この照明ユニットをエレベータの昇降路内の点検用照明手段として用いることを特徴とするエレベータの点検用照明装置。
【請求項２】
冷陰極蛍光ランプと、この冷陰極蛍光ランプを点灯させる安定器とをそれぞれユニットケースに設けてなる一体的な照明ユニットを備え、この照明ユニットをエレベータの昇降路内の点検用照明手段として用い、前記安定器に対する入力電圧をエレベータの制御装置の使用電圧と同じにしてあることを特徴とするエレベータの点検用照明装置。
【請求項３】
発光ダイオードおよび有機エレクトロルミネッセンスのうちの少なくともいずれか一方を光源としてユニットケースに設けてなる一体的な照明ユニットを備え、この照明ユニットをエレベータの昇降路内の点検用照明手段として用いることを特徴とするエレベータの点検用照明装置。
【請求項４】
前記照明ユニットは、エレベータのかご室の上部に常設されていることを特徴とする請求項１に記載のエレベータの点検用照明装置。
【請求項５】
前記照明ユニットは、エレベータのかご室の下部に常設されていることを特徴とする請求項１に記載のエレベータの点検用照明装置。
【請求項６】
前記照明ユニットは、エレベータの昇降路のピットに常設されていることを特徴とする請求項１に記載のエレベータの点検用照明装置。
【請求項７】
前記照明ユニットは、ユニットケースの外面に取付固定用の磁気吸着手段を備えていることを特徴とする請求項１ないし４のいずれかに記載のエレベータの点検用照明装置。
【発明の詳細な説明】
【０００１】
【発明の属する技術分野】
この発明は、エレベータの昇降路内に作業員が入り込んで点検作業を行なう際に使用するエレベータの点検用照明装置に関する。
【０００２】
【従来の技術】
図７に示すように、建屋の昇降路Ａ内に吊り下げられたエレベータの乗りかご１は、かご枠２と、このかご枠２の内側に設置されたかご室３とを備え、かご枠２の上梁２ａにメインロープ４が取り付けられている。そしてこの乗りかご１がエレベータの運転時にその両側のガイドレール５に沿って上下方向に昇降する。
【０００３】
かご室３の上部は、かご室３やその周辺回りを点検する際に作業員が乗り込むための点検作業部７となっている。この点検作業部７は、足場となるかご上床８、体を支えるかご上手摺９、点検時に操作する点検スイッチ１０および安全スイッチ１１、電線ケーブル類を覆うかご上ダクト１３およびこのダクト１３の上面部に設けられた電源コンセント１２、メインロープ４に取り付けられたランプ掛け１４等を備えている。なお、６はかご室３内を照明するための室内用照明ユニットである。
【０００４】
建屋の昇降路Ａ内は暗く、このため点検作業時に点検作業部７やその周辺を照明するための図８に示すハンドランプ１５が点検作業部７に常設されている。このハンドランプ１５は、図８に示すように、ハンドリング用のグリップ１６と、このグリップ１６に装着された白熱式の電球１７と、この電球１７を覆って保護するガード１８と、前記グリップ１６から導出された電源ケーブル１９とから構成され、前記グリップ１６におよびガード１８にそれぞれ吊下げ用のフック２０が設けられ、また前記グリップ１６に点灯用スイッチ２１が設けられている。このハンドランプ１５は、通常時には例えばかご上床８の上に保管されている。
【０００５】
点検作業時においては、まずエレベータ制御盤（図示せず）を手動で操作し、乗りかご１を昇降させてかご室３をエレベータホールにおけるエレベータ出入口Ｂの近くに停止させる。そして前記出入口Ｂのドア装置（図示せず）を手動で開放し、その出入口Ｂを乗り込み口としてかご室３の上側の点検作業部７内に作業員が乗り込む。
【０００６】
点検作業部７内に乗り込んだ作業員は、ハンドランプ１５の電源ケーブル１９を電源コンセント１２に接続し、点灯用スイッチ２１を投入して電球１７を点灯させる。そしてこのハンドランプ１５を、フック２０を介してランプ掛け１４に掛け、電球１７の光で点検作業部７やその周辺回りを照明して点検作業を進める。
【０００７】
ハンドランプ１５をランプ掛け１４に掛けて吊り下げた状態では、点検作業部７内の細部や用品等で影となる部分等を明るく照明することができないことがあり、このような場合には、ハンドランプ１５をランプ掛け１４から外し、グリップ１６をハンドリングして、あるいはフック２０を適当な部分に掛けて必要な部分を照らす。
【０００８】
【特許文献１】
特開平１１−１９１３１６号公報
【０００９】
【特許文献２】
特開平１１−０６６９４２号公報
【００１０】
【発明が解決しようとする課題】
しかしながら、光源として白熱式の電球１７を用いる従来のハンドランプ１５においては、その全体の構成が大型であり、このためそのハンドリングや移動が面倒で点検作業の障害となりやすく、また大型であるため手狭な部分への挿入が困難で、その細部を的確に照明することが難しくなり、さらにハンドランプ１５を吊り下げたときには、そのランプ１５が揺れ動き、照明の影がちらついて点検作業がしずらく、また書類等を読み取る際にもその読み取りが面倒となる。
【００１１】
一方、白熱式の電球１７はその寿命が短く、このため往々にして点検作業中に電球１７のフィラメントが切れて消灯するいわゆる球切れが生じ、このような場合、作業の中断を強いられるばかりでなく、安全上の問題も起きてしまう。
【００１２】
この発明はこのような点に着目してなされたもので、その目的とするところは、取り扱いが容易で、かつ充分な明るさおよび長寿命が得られ、昇降路内の点検作業を能率よく進めることができるエレベータの点検用照明装置を提供することにある。
【００１３】
【課題を解決するための手段】
請求項１の発明は、冷陰極蛍光ランプと、この冷陰極蛍光ランプを点灯させる安定器と、この安定器に入力する電圧を所定の電圧に変換する変電圧器とをそれぞれユニットケースに設けてなる一体的な照明ユニットを備え、この照明ユニットをエレベータの昇降路内の点検用照明手段として用いることを特徴としている。
【００１４】
請求項２の発明は、冷陰極蛍光ランプと、この冷陰極蛍光ランプを点灯させる安定器とをそれぞれユニットケースに設けてなる一体的な照明ユニットを備え、この照明ユニットをエレベータの昇降路内の点検用照明手段として用い、前記安定器に対する入力電圧をエレベータの制御装置の使用電圧と同じにしてあることを特徴としている。
【００１５】
請求項３の発明は、発光ダイオードおよび有機エレクトロルミネッセンスのうちの少なくともいずれか一方を光源としてユニットケースに設けてなる一体的な照明ユニットを備え、この照明ユニットをエレベータの昇降路内の点検用照明手段として用いることを特徴としている。
【００１６】
請求項４の発明は、前記照明ユニットが、エレベータのかご室の上部に常設されていることを特徴としている。
【００１７】
請求項５の発明は、前記照明ユニットが、エレベータのかご室の下部に常設されていることを特徴としている。
【００１８】
請求項６の発明は、前記照明ユニットが、エレベータの昇降路のピットに常設されていることを特徴としている。
【００１９】
請求項７の発明は、前記照明ユニットが、ユニットケースの外面に取付固定用の磁気吸着手段を備えていることを特徴としている。
【００２０】
【発明の実施の形態】
以下、この発明の実施形態について図１ないし図６を参照して説明する。なお、従来の構成と対応する部分には同一符号を付して重複する説明を省略する。
【００２１】
図１ないし図４には第１の実施形態を示してあり、この実施形態においては、かご室３の上部の点検作業部７における例えばかご上床８の上面とかご上手摺９の下面とにそれぞれ複数ずつ照明ユニット３０が取り付けられている。
【００２２】
各照明ユニット３０は、図２および図３に示すように、反射板３１と透光板３２とならなるユニットケース３３を備え、このユニットケース３３は例えば扁平な箱型に構成されている。
【００２３】
さらに詳しく述べると、反射板３１は一側面に開口部３４を有する薄箱型状をなし、前記開口部３４に光透過性の例えば合成樹脂で形成された透光板３２が設けられている。
【００２４】
反射板３１の内面の両端部には、一対の支持台３７が互いに対向して取り付けられ、これら支持台３７間に複数本、例えば３本の直管形の冷陰極蛍光ランプ３８が互いに所定の間隔をあけて平行に架設されている。
【００２５】
反射板３１の内面の一側部には、インバータ機能を有する安定器４０、および交流１００Ｖを直流２４Ｖの電圧に変換する変電圧器４１が取り付けられている。そして前記各冷陰極蛍光ランプ３８と安定器４０と変電圧器４１とが配線４２を介して電気的に接続され、配線４２の端部が反射板３１に形成された配線穴４３を通して反射板３１の外面側に導出されている。
【００２６】
前記冷陰極蛍光ランプ３８は、１〜６ｍｍ程度の直径を有する透光性放電容器と、この放電容器の両端部に封止された一対の冷陰極（図示せず）と、放電容器の内面に塗布された蛍光体（図示せず）と、放電容器内に封入された放電媒体（図示せず）とを備えている。
【００２７】
この冷陰極蛍光ランプ３８は、陰極が加熱されることなく発光するため長寿命であり、また通常の熱陰極蛍光ランプのような点灯・消灯の回数によって寿命が左右されるようなこともなく、さらに電圧を印加すると即点灯し、発光までの時間的な遅れがないことも特徴の１つとなっている。
【００２８】
各照明ユニット３０から導出された配線４２は、足場の邪魔とならないように引き回されてかご上ダクト１３内に導入され、そのダクト１３内の電源コード（図示せず）に接続されている。
【００２９】
かご上ダクト１３の上には、点検スイッチ１０、安全スイッチ１１と併せて各照明ユニット３０を点灯させる照明スイッチ４６が設けられている。かご上ダクト１３は、かご室３の前部寄り、すなわち点検作業部７への乗り込み口となるエレベータ出入口Ｂと近接する位置に設けられ、したがってかご上ダクト１３の上に設けられた点検スイッチ１０、安全スイッチ１１、照明スイッチ４６は点検作業部７に作業員が乗り込む前に、その乗り込み口から操作することができるようになっている。
【００３０】
かご上床８の上に設けられた照明ユニット３０は、図４に示すように、その透光板３２を上に向けて例えばかご上床８の四隅に配置されている。そして照明ユニット３０の一部がかご上床８の構成部材である腕材４７により覆われている。
【００３１】
また、かご上手摺９に設けられた照明ユニット３０は、その透光板３２を下に向けてそのかご上手摺９に取り付けられている。
【００３２】
点検作業時においては、まずエレベータ出入口Ｂから昇降路Ａ内に手を延ばして点検スイッチ１０、安全スイッチ１１、照明スイッチ４６を操作する。
【００３３】
照明スイッチ４６のオン操作により、配線４２を通して交流１００Ｖの電源が変電圧器４１に供給され、その電圧が変電圧器４１により直流２４Ｖに変換され、この直流２４Ｖの電源が安定器４０に供給される。そして安定器４０による制御で各冷陰極蛍光ランプ３８が点灯し、所定の波長を有する光が放射される。放射された光の一部は透光板３２を直接透過し、他の一部は反射板３１で反射して透光板３２を透過する。
【００３４】
このように各照明ユニット３０が点灯することにより、点検作業部７およびその周辺回りが明るく照明される。この状態において、作業員が乗り込み口から点検作業部７内に乗り込んで各種の点検作業を行なう。点検作業部７およびその周辺回りは各照明ユニット３０により予め明るく照明されており、このため足場や周囲を確認しながら点検作業部７内に安全に乗り込むことができる。
【００３５】
そして、点検作業部７およびその周辺は、複数の照明ユニット３０により手狭な部分や用品の影となるような部分においても充分に明るく照明され、したがってハンドランプを用いるようなことなく、両手を自由に使って能率よく点検作業を進めることができる。
【００３６】
各照明ユニット３０の光源である冷陰極蛍光ランプ３８は、直径が１〜６ｍｍという細管であり、このため照明ユニット３０は小型かつ薄型に構成することができ、このような小型で薄型の照明ユニット３０を点検作業部７に配設しても点検作業の邪魔となるようなことがない。そして照明ユニット３０が小型かつ薄型であることから、これを狭い隙間等に配設することも可能となる。
【００３７】
また、冷陰極蛍光ランプ３８は、通常一般の熱陰極蛍光ランプのように通電により高温となる陰極をもたないから、陰極の断線等の問題が生じることがなく長寿命であり、したがって白熱式の電球の場合のようないわゆる球切れで消灯することがなく、このため安全に所定の点検作業を進めることができる。
【００３８】
図５および図６には第２の実施形態を示してある。この第２の実施形態における照明ユニット３０は、図５に示すように、内部構造は前記第１の実施形態の照明ユニット３０と同一構造となっている。異なる点は、ユニットケース３３の外面に磁気吸着手段としてのマグネットシート５０が貼り付けられ、またユニットケース３３から前記配線４２に替わる電源ケーブル５１が導出されている点である。そして電源ケーブル５１の端部にはプラグ５２が取り付けられている。
【００３９】
この照明ユニット３０は、図６に示すように、例えばかご枠２の上梁２ａに前記マグネットシート５０を介して磁気的にかつ着脱可能に取り付けられている。そして電源ケーブル５１のプラグ５２がかご上ダクト１３の上の電源コンセント１２に接続されている。この照明ユニット３０の点灯・消灯はかご上ダクト１３の上の照明スイッチ４６を操作することにより行なうことができるようになっている。
【００４０】
なお、前記かご上ダクト１３は前記第１の実施形態の場合と同様に、かご室３の前部寄り、すなわち点検作業部７への乗り込み口となるエレベータ出入口Ｂと近接する位置に設けられている。
【００４１】
点検作業時においては、第１の実施形態の場合と同様に、まず出入口Ｂから昇降路Ａ内に手を延ばして点検スイッチ１０、安全スイッチ１１、照明スイッチ４６を操作してその各スイッチをオンさせる。
【００４２】
照明スイッチ４６のオン操作により照明ユニット３０が点灯し、点検作業部７およびその周辺回りが明るく照明される。この状態において、作業員が出入口Ｂから点検作業部７内に乗り込んで各種の点検作業を行なう。点検作業部７およびその周辺回りは照明ユニット３０により予め照明されており、このため足場や周囲を確認しながら点検作業部７内に安全に乗り込むことができる。
【００４３】
照明ユニット３０はマグネットシート５０を介して鋼製の上梁２ａに着脱可能に取り付けられており、したがって点検作業中に、必要があればその照明ユニット３０を上梁２ａから取り外し、ハンドリングしてその照明ユニット３０をハンドランプとして使用することができる。
【００４４】
この際、照明ユニット３０は小型で薄型であり、このためそのハンドリングおよび移動が容易で、手狭な部分等においても的確に光を当てることができる。そしてかご室３の上には、かご上手摺９やかご枠２の立梁２ｂ、あるいはガイドレール５等のマグネットシート５０での吸着が可能な各種の鋼製部材が配置しており、したがって照明ユニット３０はそのいずれかの鋼製部材を選んでさまざまな位置や向きに取り付けることができ、点検作業上必要な部位に的確に光を当て効率よく点検作業を進めることができる。
【００４５】
この場合、照明ユニット３０は、マグネットシート５０を介してその鋼製部材に固定されて揺れ動くようなことがなく、したがって光のちらつきがなく、より効率よく作業を進めることができる。
【００４６】
なお、前記実施形態においては照明ユニット３０に電源ケーブル５１を設け、この電源ケーブル５１のプラグ５２を電源コンセント１２に接続して照明ユニット３０を使用するようにしたが、前記第１の実施形態の場合と同様に、照明ユニット３０から配線４２を導出し、その配線４２をかご上ダクト１３内の電源コードに接続するように構成することも可能である。
【００４７】
以上の説明では、照明ユニット３０をかご室３の上部の点検作業部７に設ける場合について述べたが、この発明の照明ユニット３０は、かご室３の下部、昇降路Ａのピットの床面やピットはしご、昇降路Ａにおける乗場ドアの裏面の周囲、巻上機、かご室３の内部等のエレベータの各部位に設けることも可能である。
【００４８】
照明ユニット３０を昇降路Ａのピットに設けた場合には、照明ユニット３０が放射する光で足場の確認を行なうことができ、また作業員がピットに降りなくても建屋の最下階のホールからピットの床面の清掃状況等を目視で確認することができる。
【００４９】
照明ユニット３０をかご室３内に設ける場合には、その照明ユニット３０をかご室内照明装置の補助として用いる。この場合、照明ユニット３０はかご室３の内壁面等に固定して取り付ける。その取り付けには、照明ユニット３０のユニットケース３３にビス穴を形成し、ビス止めにより固定する手段を採用することが可能である。
【００５０】
また、前記実施形態においては、照明ユニット３０の光源として３本の冷陰極蛍光ランプ３８を用いる例を示したが、冷陰極蛍光ランプ３８は複数本に限らず、１本のみを用いる場合であってもよい。
【００５１】
前記各実施形態においては、照明ユニット３０内に安定器４０と共に変電圧器４１を組み込み、この変電圧器４１で電圧を変換するようにしたが、安定器４０に対する入力電圧をエレベータを運転する制御装置の使用電圧と同じに設定し、その制御装置の電源系統を安定器４０に接続して電力を入力するように構成することも可能である。このような場合には、照明ユニット３０内への変電圧器の組み込みを省略することができる。
【００５２】
前記各実施形態においては、光源として冷陰極蛍光ランプを用いたが、この冷陰極蛍光ランプに替えてＬＥＤ（発光ダイオード）や有機ＥＬ（エレクトロルミネッセンス）を用いることも可能である。この場合、例えば複数の白色のＬＥＤや有機ＥＬの素子を適宜な形状のホルダ等に組み付けて棒状、リング状あるいは二次元平面状等の形態にユニット化し、そのユニットをユニットケース内に組み込んで照明ユニットとして構成する。なお、１個のＬＥＤや有機ＥＬの素子を用いて棒状、リング状、二次元平面状等に構成することも可能である。
【００５３】
ユニットケース内には、光源としてＬＥＤのみを組み込む場合であっても、有機ＥＬのみを組み込む場合であっても、あるいはＬＥＤと有機ＥＬとを適数ずつ組み合わせて組み込む場合であってもよい。
【００５４】
ＬＥＤや有機ＥＬは白色のものを用いる場合に限らず、照明ユニットの設置場所、周囲環境、光量、使用時間帯、使用季節等に応じて他の色のものを用いることも可能であり、また複数の色のＬＥＤや有機ＥＬを混在させることも可能である。さらに、光源としてＬＥＤや有機ＥＬと併せて冷陰極蛍光ランプをユニットケース内に組み込んで照明ユニットとして構成することも可能である。
【００５５】
なお、ＬＥＤや有機ＥＬを発光させる手段としては、従来一般に使用されている駆動制御装置を用いることは言うまでもない。
【００５６】
【発明の効果】
以上説明したようにこの発明の点検用照明装置によれば、取り扱いが容易で、かつ充分な明るさおよび長寿命が得られ、昇降路内の点検作業を容易に能率よく進めることができる。
【図面の簡単な説明】
【図１】この発明の第１の実施形態を示す構成図。
【図２】第１の実施形態における照明ユニットの横断面図。
【図３】第１の実施形態における照明ユニットの縦断面図。
【図４】第１の実施形態における照明ユニットの配置構造を示す正面図。
【図５】この発明の第２の実施形態による照明ユニットを示す断面図。
【図６】第２の実施形態における照明ユニットのかご室への取付状態を示す構成図。
【図７】従来のエレベータのかご室の上部の構造を示す構成図。
【図８】従来の点検用照明装置としてのハンドランプを示す側面図。
【符号の説明】
Ａ…昇降路
Ｂ…出入口
１…乗りかご
２…かご枠
２ａ…上梁
３…かご室
５…ガイドレール
７…点検作業部
８…かご上床
９…かご上手摺
３０…照明ユニット
３１…反射板
３２…透光板
３３…ユニットケース
３８…冷陰極蛍光ランプ
４０…安定器
４１…変電圧器
４６…照明スイッチ
５０…マグネットシート
５１…電源ケーブル
【図１】
2004182467.tif 000003
【図２】
2004182467.tif 000004
【図３】
2004182467.tif 000005
【図４】
2004182467.tif 000006
【図５】
2004182467.tif 000007
【図６】
2004182467.tif 000008
【図７】
2004182467.tif 000009
【図８】
2004182467.tif 000010